(57)【要約】【課題】ウエットスーツを提供する。【解決手段】少なくとも第一材料と第二材料とから形成されるスリーブを含み、このスリーブは上腕部分と前腕部分とを有し、第一材料は、上腕部分の二頭筋領域を囲むように前腕部分から延び、再び前腕部分に戻るよう配置される境界部を画定し、第二材料は、二頭筋領域と前腕部分において境界部の内側に位置するように配置され、第一材料は第一弾性率を有し、第二材料は第二弾性率を有し、第一弾性率は第二弾性率よりも大きい。【選択図】図１
2018035495.tif 000002
【特許請求の範囲】
【請求項１】
少なくとも第一材料と第二材料とから形成されるスリーブを含むウエットスーツであって、前記スリーブは上腕部分と前腕部分とを有し、
前記第一材料は、前記上腕部分の二頭筋領域を囲むように前記前腕部分から延び、再び前記前腕部分に戻るように配置される境界部を画定し、
前記第二材料は、前記二頭筋領域と前腕部分とにおいて前記境界部の内側に位置するように配置され、
前記第一材料は第一弾性率を有し、前記第二材料は第二弾性率を有し、前記第一弾性率は前記第二弾性率よりも大きいことを特徴とする、ウェットスーツ。
【請求項２】
前記第一弾性率が、前記第二弾性率よりも少なくとも１０％大きいことを特徴とする、請求項１記載のウエットスーツ。
【請求項３】
前記第一弾性率が、前記第二弾性率よりも少なくとも２５％大きいことを特徴とする、請求項１または２記載のウエットスーツ。
【請求項４】
前記境界部が、前記スリーブの前記前腕部分の後側域に沿って延びることを特徴とする、請求項１乃至３のいずれか一項記載のウエットスーツ。
【請求項５】
前記境界部が前記スリーブの袖口領域から延びることを特徴とする、請求項１乃至４いずれか一項記載のウエットスーツ。
【請求項６】
前記境界部が前記スリーブの前記袖口領域に戻るよう延びることを特徴とする、請求項５記載のウエットスーツ。
【請求項７】
前記スリーブが肘領域を有し、前記境界部の内側の前記肘領域に前記第二材料が位置することを特徴とする、請求項１乃至６のいずれか一項記載のウエットスーツ。
【請求項８】
前記境界部が溝部を画定し、その内部に前記第二材料が位置することを特徴とする、請求項１乃至７のいずれか一項記載のウエットスーツ。
【請求項９】
前記溝部が、前記スリーブの前記袖口まで延びることを特徴とする、請求項８記載のウエットスーツ。
【請求項１０】
前記溝部が前記前腕部分で先細りになることを特徴とする、請求項８または９記載のウエットスーツ。
【請求項１１】
前記第一材料が複合材料であることを特徴とする、請求項１乃至１０のいずれか一項記載のウエットスーツ。
【請求項１２】
前記第一複合材料がネオプレンと、少なくとも１枚の布地の層とを含むことを特徴とする、請求項１１に記載のウエットスーツ。
【請求項１３】
前記第二材料が複合材料であることを特徴とする、請求項１乃至１２のいずれか一項記載のウエットスーツ。
【請求項１４】
前記第二複合材料が２枚の布地の層の間に挟まれたネオプレンを含むことを特徴とする、請求項１３に記載のウエットスーツ。
【請求項１５】
前記第二材料が、前記二頭筋領域から前記肘領域まで延びることを特徴とする、請求項１乃至１４のいずれか一項記載のウエットスーツ。
【請求項１６】
前記第二材料が、前記肘領域から前記前腕部分まで延びることを特徴とする、請求項１５記載のウエットスーツ。
【請求項１７】
前記ウエットスーツが、トライアスロン用ウエットスーツであることを特徴とする、請求項１乃至１６のいずれか一項記載のウエットスーツ。
【請求項１８】
少なくとも第一材料と第二材料とから形成されるスリーブを含むウエットスーツであって、前記スリーブは上腕部分と前腕部分とを有し、
前記第一材料は、前記スリーブの前記上腕部分の二頭筋領域と、前記スリーブの肘領域とを囲んで延びるよう配置される境界部を有し、
前記第一材料は第一弾性率を有し、前記第二材料は第二弾性率を有し、前記第一弾性率は前記第二弾性率よりも大きいことを特徴とする、ウエットスーツ。
【請求項１９】
前記第二材料は、前記スリーブの前記二頭筋領域から少なくとも前記肘領域まで延びる前記境界部により画定される溝部の内部に位置することを特徴とする、請求項１８記載のウエットスーツ。
【請求項２０】
前記第二材料が、前記スリーブの前記肘領域から前記前腕部分に沿って袖口領域まで伸びることを特徴とする、請求項１９記載のウエットスーツ。
【発明の詳細な説明】
【技術分野】
【０００１】
本発明の諸実施形態はウエットスーツに関し、具体的には、トライアスロン用ウエットスーツに関する。
【背景技術】
【０００２】
ウエットスーツは、水上スキー、シュノーケリング、スキューバダイビング、およびトライアスロンなど、多くの種類の水上スポーツで使用され得る。水上スキー、シュノーケリング、およびスキューバダイビング用に製造されたウエットスーツでは、スイム中に着用者の腕の運動をスリーブが制限するので、通常、トライアスロンには適さない。水上スキー、シュノーケリング、およびスキューバダイビング用に製造されたウエットスーツをトライアスロンで着用すると、パフォーマンスが低下し、疲労を引き起こしかねない。
【発明の概要】
【課題を解決するための手段】
【０００３】
本発明の、必ずしも全てではないが様々な実施形態よれば、少なくとも第一材料と第二材料とから形成されるスリーブを含むウエットスーツが提供され、該スリーブは上腕部分と前腕部分とを有し、
第一材料は、上腕部分の二頭筋領域を囲むように前腕部分から伸び、再び前腕部分に戻るように配置される境界部を画定し、
第二材料は、二頭筋領域と前腕部分とにおいて境界部の内側に位置するように配置され、
第一材料は第一弾性率を有し、第二材料は第二弾性率を有し、第一弾性率は第二弾性率よりも大きいことを特徴とする。
【０００４】
第一弾性率は、第二弾性率より少なくとも１０％大きくてもよく、また、第二弾性率より少なくとも２５％大きくてもよい。
【０００５】
境界部は、スリーブの前腕部分の後側域に沿って延び得る。そしてこの境界部はスリーブの袖口領域から延び、再びスリーブの袖口領域に戻るよう延びることができる。スリーブは肘領域を有することができ、第二材料は境界部の内側の肘領域に位置することができる。
【０００６】
境界部により溝部を画定することができ、その内部には第二材料が位置する。この溝部は、スリーブの袖口に向かって延び、そして、前腕部分で先細りになり得る。
【０００７】
第一材料を複合材料とすることができる。第一複合材料は、ネオプレンと、少なくとも１枚の布地の層とを含むことができる。第二材料を複合材料とすることができる。第二複合材料は、２枚の布地の層の間に挟まれたネオプレンを含むことができる。
【０００８】
第二材料を、二頭筋領域から肘領域まで延ばし、さらに、肘領域から前腕部分まで延ばすことができる。
【０００９】
本ウエットスーツは、トライアスロン用ウエットスーツとすることができる。
【００１０】
本発明の、必ずしも全てではないが様々な実施形態よれば、少なくとも第一材料と第二材料とから形成されるスリーブを含むウエットスーツが提供され、該スリーブは上腕部分と前腕部分とを有し、
第一材料は、スリーブの上腕部分の二頭筋領域と、スリーブの肘領域とを囲むように延びるように配置される境界部を有し、
第一材料は第一弾性率を有し、第二材料は第二弾性率を有し、第一弾性率は第二弾性率よりも大きい。
【００１１】
第二材料は、二頭筋領域から少なくともスリーブの肘領域まで延びる境界部によって画定される溝部の内側に位置することができる。第二材料は、肘領域から前腕部分に沿ってスリーブの袖口領域まで延びることができる。
【００１２】
本発明の、必ずしも全てではないが様々な実施形態によれば、上記で説明され、添付の図面に示されるウエットスーツが提供される。
【００１３】
本発明の、必ずしも全てではないが様々な実施形態によれば、添付の特許請求の範囲で請求される諸例が提供される。
【００１４】
詳細な説明を把握するために有用な様々な実施例をよりよく理解するために、以降に、単なる例として添付の図面を参照することとする。
【図面の簡単な説明】
【００１５】
【図１】ウエットスーツの正面図を示す。
【図２】ウエットスーツの背面図を示す。
【図３】ウエットスーツの側面図を示す。
【図４】図４Ａ〜４Ｃはウエットスーツのスリーブのいろいろな回転図を示す。
【発明を実施するための形態】
【００１６】
図１は、ウエットスーツ１０の正面図を示す。ウエットスーツ１０は、人の身体に装着可能である。具体的にはこのウエットスーツは、人が水泳などの水上スポーツに参加するときに、装着することができる。本実施例におけるウエットスーツは、トライアスロンの、少なくともスイムパートにて着用するためのものである。
【００１７】
ウエットスーツ１０は、本体部分１と、第一腕部スリーブ３および第二腕部スリーブ４と、第一脚部スリーブ５および第二脚部スリーブ６と、を含む。第一腕部スリーブ３の構成は以降で説明するが、第二腕部スリーブ４は第一腕部スリーブ３と対称であり、対応する構成を有する。
【００１８】
スリーブ３は上腕部分１０２および前腕部分１０４を含む。上腕部分１０２は、着用者の上腕の少なくとも一部に広がり覆うように配置される。示された実施例において、上腕部分１０２は、着用者の肩から該着用者の肘まで延びるように配置される。前腕部分１０４は、着用者の前腕の少なくとも一部に広がり覆うように配置される。示された実施例では、前腕部分１０４は、着用者の肘から該着用者の手首まで延びるように配置される。前腕部分１０４は袖口領域１１６で終端し、この袖口領域は着用者の手首に位置するように配置される。
【００１９】
図２は、ウエットスーツ１０の背面図を示す。図３は、ウエットスーツ１０の側面図を示す。図４Ａ〜４Ｃはウエットスーツ１０のスリーブ３のいろいろな回転図を示す。
【００２０】
参照符号１１２および１１４は、それぞれ、上腕部分１０２および前腕部分１０４の前側域を示す（図１、３、および４Ａ〜４Ｃ参照）。参照符号１２２および１２４は、それぞれ、上腕部分１０２および前腕部分１０４の後側域を示す（図１、２、および４Ａ〜４Ｃ参照）。
【００２１】
二頭筋領域１１０は、上腕部分１０２の前側域１１２内に位置する（例えば、図１参照）。二頭筋領域１１０は、着用者の二頭筋の少なくとも一部に広がり／覆うように配置される。三頭筋領域１２６は、上腕部分１０２の後側域１２２内に位置する（例えば、図２参照）。三頭筋領域１２６は、着用者の三頭筋の少なくとも一部に広がり／覆うように配置される。
【００２２】
ウエットスーツ１０の大部分を、第一材料１０６を用いて構成することができる。本実施例では、この材料はネオプレンと、少なくとも１枚の布地の層とを含む複合材料である。当業者は、ネオプレンが、ポリクロロプレンまたはクロロプレンゴムとしても知られていることを認識していよう。第一材料１０６は、例えば、ナイロンまたはポリエステルなどの布地の層を裏地と／ラミネートした、独立気泡ネオプレンであり得る。この布地の層は、ウエットスーツ１０の内側裏材の少なくとも一部分を形成することができる。
【００２３】
ウエットスーツ１０は部分的に、第二材料１０８を用いて構成することができる。本実施例では、第一材料１０６と第二材料１０８とは、相異なる材料である。第二材料１０８は、２枚の布地の層に挟まれたネオプレンを含む複合材料とすることができる。第二材料１０８は、例えば、両側をナイロンまたはポリエステルなどの布地を裏地に／ラミネートした、連続気泡ネオプレンであり得る。布地の層の内１枚は、ウエットスーツ１０の内側裏材の少なくとも一部を形成することもできる。
【００２４】
第一材料１０６の厚さは第二材料１０８の厚さよりも大きくてもよい。第一材料１０６の厚さは、例えば、３ミリメートル〜５ミリメートルの範囲とすることができる。第二材料１０８の厚さは、例えば、１ミリメートル〜３ミリメートルの範囲とすることができる。
【００２５】
第一材料１０６は第一弾性率を有し、第二材料１０８は第二弾性率を有する。第一弾性率は第二弾性率よりも大きいので、第一材料１０６は第二材料１０８よりも固くなり、その伸縮性は低くなる。また、第一材料１０６は、第二材料１０８よりも断熱性が高い。
【００２６】
いくつかの実施例において、第一弾性率は、第二弾性率よりも少なくとも１０％大きい。他の実施例では、第一弾性率は、第二弾性率よりも少なくとも２５％大きい。さらなるいくつかの実施例では、第一弾性率は、第二弾性率よりも少なくとも５０％大きい。
【００２７】
第一材料１０６は、上腕部分１０２の二頭筋領域１１０を囲むように（例えば、図１または３参照）前腕部分１０４から延び（例えば、図２または３参照）、再び前腕部分１０４に戻る（例えば、図２を参照）ように配置される境界部１０１を画定する。
【００２８】
図示の実施例において、境界部１０１は、袖口領域１１６から前腕部分１０４の後側域１２４に沿って延び、次いで、肘領域１１８近くのスリーブの外側域を横切り、二頭筋領域１１０を囲むように延び、スリーブ３の外側域を横切って戻り、前腕部分１０４の後側域１２４に沿って袖口領域１１６に戻って、境界部１０１はそこで終端する。
【００２９】
第二材料１０８は境界部１０１内部に位置し、結果、境界部１０１が、第一材料１０６と第二材料１０８との間の接合域となる。境界部１０１（およびその最近辺）に、第一材料１０６と第二材料１０８とで重なる領域を設け、例えば縫い合わせることにより、これらを接合させることができる。
【００３０】
第二材料１０８は二頭筋領域１１０（少なくともある程度、着用者の二頭筋を覆う）および肘領域１１８（少なくともある程度、着用者の肘を覆う）に位置する。肘領域１１８の第二材料１０８の上方の、上腕部分１０２の後側域１２２の三頭筋領域１２６には、第一材料１０６が（少なくともある程度、着用者の三頭筋を覆う）位置する。
【００３１】
第二材料１０８は、二頭筋領域１１０からスリーブ３の外側域を囲むように肘領域１１８へと延び、次いで、前腕部分１０４の後側域１２４に沿って袖口領域１１６まで延びる。図２および４Ｃから、境界部１０１が第二材料１０８を完全には取り囲んでいないことを、袖口領域１１６まで／からの境界部１０１の延長部が、示していることが分かる。
【００３２】
実際は、第一材料１０６の境界部１０１は、内側に第二材料１０８が位置する溝部を画定する。この溝部は、二頭筋領域１１０からスリーブ３の外側域を囲むように肘領域１１８へと延び、前腕部分１０４の後側域１２４に沿って袖口領域１１６まで延びる。この溝部は、肘領域１１８から袖口領域１１６に延びるにつれ（内方向に）先細りとなる。
【００３３】
使用に関しては、使用者がウエットスーツ１０を着用して泳いでいるとき、二頭筋領域１１０の第二材料１０８の弾性率が小さいおかげで、スリーブ３全体が第一材料１０６で形成される場合よりも、着用者の二頭筋が容易に動くようにする。また、肘領域１１８の第二材料１０８の弾性率が小さいおかげで、スリーブ３全体が第一材料１０６で形成される場合よりも、肘が容易に曲がるようにする。有利には上記により、パフォーマンスが向上し、疲労を減少させる。
【００３４】
さらに、境界部１０１が二頭筋領域１１０だけを取り囲んでおり、例えば、肘領域１１８、前腕部分１０４、および袖口領域１１２まで延びていない場合、着用者が腕を曲げると、第一材料１０６と第二材料１０８間の境界部１０１で、１つ又はそれ以上の箇所に高張力がかかるかもしれない。しかし有利には、上記で説明し図中に示した境界部１０１の形状により、第二材料１０８が大きく動けるようにし、高張力がかかる箇所が出ないようにし、そして、着用者が容易に腕を曲げることができるようにする。
【００３５】
前腕部分１０４中に第一材料１０６があるおかげで、前腕部分１０４では、スリーブ３の剛性、硬度、および断熱性が有利には増大する。
【００３６】
先行の段落で、様々な実施例を参照しながら本発明の諸実施形態を説明してきたが、当然のことながら、請求された本発明の範囲から逸脱することなく、これら提示された実施例に変更を加えることが可能である。例えば、境界部１０１は、図に示されたのとまったく同じ形状を有する必要はない。説明し、図に示したウエットスーツ１０は、ワンピースのウエットスーツであるが、他の実施形態では、ワンピースの代わりにツーピースのウエットスーツにすることもできる。
【００３７】
前述で説明した諸特徴は、明確に記述した組み合わせ以外の組み合わせで用いることも可能である。
【００３８】
特定の特徴を参照しながら諸機能を説明してきたが、これらの機能は、記載の有無にかかわらず、他の特徴によっても実行可能であり得る。
【００３９】
諸特徴を特定の実施形態を参照しながら説明してきたが、これらの特徴は、記載の有無にかかわらず、他の実施形態にも存在し得る。
【００４０】
上述の明細書では、特に重要と考えられる本発明のこれら特徴に注目を得るよう努めてきたが、当然のことながら、本出願人は、本明細書前段で言及されおよび／または図面に示された一切の特許性のある特徴または特徴の組み合わせに対し、それらについて特別な強調がなされているかどうかにかかわらず、保護を請求する。
【図１】
2018035495.tif 000003
【図２】
2018035495.tif 000004
【図３】
2018035495.tif 000005
【図４】
2018035495.tif 000006
【手続補正書】
【提出日】平成29年11月6日(2017.11.6)
【手続補正１】
【補正対象書類名】図面
【補正対象項目名】全図
【補正方法】変更
【補正の内容】
【図１】
2018035495.tif 000007
【図２】
2018035495.tif 000008
【図３】
2018035495.tif 000009
【図４】
2018035495.tif 000010
【外国語明細書】
2018035495000001.pdf